(57)【要約】【課題】ＰＴＴ端末機のＰＴＴ機能設定状態及びＰＴＴサーバ登録状態に基づいて、呼発信及び該当呼の解除を制御することにより、ＰＴＴ端末機による頻繁な呼発信及び不要な通話状態の維持を防止し得るＰＴＴ端末機の呼受信効率向上方法を提供する。【解決手段】ＰＴＴ機能をサポートするＰＴＴ端末機が、異なるＳＩＤ地域に移動すると、前記ＰＴＴ機能が設定されたＰＴＴ端末機のみが基地局にＳＩＤ値の変更を通知し、当該端末機がＰＴＴサーバに登録されていると前記基地局から直ちに返信されてくるデータ呼解除メッセージを受信して前記通知時のデータ呼の接続を解除することで、移動通信端末機の呼受信効率を向上させる。【選択図】図１
2006254458.tif 000002
【特許請求の範囲】
【請求項１】
ＳＩＤ（System Identification）値が変更されると、ＰＴＴ（Push To Talk）機能をサポートするＰＴＴ端末機が、データ呼のみを通じて基地局にＳＩＤ変更を通知する段階と、
前記基地局が、ＰＴＴサーバに前記ＰＴＴ端末機が登録されているか否かをチェックする段階と、
前記ＰＴＴサーバに前記ＰＴＴ端末機が登録されていると、前記基地局が、前記ＰＴＴ端末機に直ちにデータ呼解除メッセージを転送する段階と、
前記ＰＴＴ端末機が、前記転送されたデータ呼解除メッセージによってデータ呼を解除した後、新しいＳＩＤ値及びＰＴＴサーバ登録状態を保存する段階と、
を含むことを特徴とするＰＴＴ端末機の呼受信効率向上方法。
【請求項２】
前記データ呼は、前記ＰＴＴ機能がイネーブルされたＰＴＴ端末機のみから転送されることを特徴とする請求項１に記載のＰＴＴ端末機の呼受信効率向上方法。
【請求項３】
前記ＰＴＴ機能がディスエーブルされると、前記ＰＴＴ端末機は、ＰＴＴサーバ登録のための呼を基地局に発信して、アイドル状態に切り替わることを特徴とする請求項１に記載のＰＴＴ端末機の呼受信効率向上方法。
【請求項４】
前記基地局は、前記ＰＴＴ端末機が前記ＰＴＴサーバに登録されていないと、当該ＰＴＴ端末機のＰＴＴサーバ登録のために、所定時間通話状態を維持することを特徴とする請求項１に記載のＰＴＴ端末機の呼受信効率向上方法。
【請求項５】
前記ＰＴＴ端末機は、保存しているＳＩＤ値と、現在のＳＩＤ値とを比較することにより、ＳＩＤ値を変更するか否かをチェックすることを特徴とする請求項１に記載のＰＴＴ端末機の呼受信効率向上方法。
【請求項６】
ＰＴＴ機能をサポートするＰＴＴ端末機が異なるＳＩＤ地域に移動すると、前記ＰＴＴ機能が設定されたＰＴＴ端末機のみが基地局にＳＩＤ値の変更を通知し、当該端末機がＰＴＴサーバに登録されていると前記基地局から直ちに返信されてくるデータ呼解除メッセージを受信して前記通知時のデータ呼を解除することを特徴とするＰＴＴ端末機の呼受信効率向上方法。
【請求項７】
前記ＳＩＤ値の変更は、データ呼のみを通じて通知されることを特徴とする請求項６に記載のＰＴＴ端末機の呼受信効率向上方法。
【請求項８】
前記ＰＴＴ機能が設定されていない端末機は、ＰＴＴサーバ登録のための呼を基地局に発信し、アイドル状態に切り替わることを特徴とする請求項６に記載のＰＴＴ端末機の呼受信効率向上方法。
【請求項９】
前記ＰＴＴ端末機が前記ＰＴＴサーバに登録されていないと、前記基地局が所定時間通話状態を維持し、前記ＰＴＴ端末機が前記ＰＴＴサーバに登録を試みることを特徴とする請求項６に記載のＰＴＴ端末機の呼受信効率向上方法。
【発明の詳細な説明】
【技術分野】
【０００１】
本発明は、ＰＴＴ（Push To Talk）機能をサポートする移動通信端末機に関し、特に、ＳＩＤ（System Identification）接境地域でＰＴＴ端末機の呼受信効率を向上させる方法に関するものである。
【背景技術】
【０００２】
一般に、ＰＴＴ機能をサポートするＣＤＭＡ端末機（以下、ＰＴＴ端末機と略称）は、ウォーキートーキーのように、所定のキーを押して相手と通話できる端末機である。即ち、ＰＴＴ端末機は、ＰＴＴキーを押して音声データを転送し、ＰＴＴキーを離して音声データの受信モードに切り替わるか、又は待機状態になる。
【０００３】
ＰＴＴ端末機は、一対一及び一対多通信を行い、特に、半二重（half duplex）通信を行う。また、ＰＴＴ端末機は、ＣＤＭＡ網またはＧＳＭ網を利用して音声データをパケット形態で転送する。該音声データは、ＶｏＩＰ（Voice over Internet Protocol）により目的地まで転送される。
【０００４】
図４は、従来技術によるＰＴＴサービス網のＳＩＤ変更登録を説明する図である。図示したように、ＰＴＴ端末機の使用者が電源をオンにすると、ＰＴＴ端末機ＨＳ１、ＨＳ２は、基地局ＢＴＳ１にデータ呼を発信してＰＴＴサーバへ登録を行った後、アイドル（idle）状態に切り替わる。図４において、ＰＴＴ端末機ＨＳ１は、ＰＴＴサーバへの登録が成功したＰＴＴ端末機を示し、ＰＴＴ端末機ＨＳ２は、ＰＴＴサーバへの登録に失敗したＰＴＴ端末機を示す。
【０００５】
この状態で、ＰＴＴ端末機の使用者が、図４に示すように、互いに異なるＳＩＤを有する各基地局ＢＴＳ１、ＢＴＳ２のカバー区域（地域）のうち、そのオーバーラップ（重複）するエリア（接境地域）を通過又はその接境地域に留まっている場合、即ち、ＰＴＴ端末機の使用者がＳＩＤ地域１からＳＩＤ地域２に移動すると、ＳＩＤ値の変更が必要となる。
【０００６】
このＳＩＤ値の変更は、ＰＴＴサーバ登録が行われたか否かに関わらず、全てのＰＴＴ端末機ＨＳ１、ＨＳ２が、基地局ＢＴＳ２に対して、ＳＩＤ変更を通知する領域登録呼（Zone Registration Call）、パラメータ登録呼（Parameter Registration Call）及びデータ呼を順次に発信（発呼）して、ＳＩＤ変更登録を行う。
【０００７】
データ呼によって、各ＰＴＴ端末機ＨＳ１、ＨＳ２と基地局ＢＴＳ２との間にデータ呼が接続（確立）されると、各ＰＴＴ端末機ＨＳ１、ＨＳ２は、約１５秒間通話状態（待機状態）を維持する。一方、基地局ＢＴＳ２は、その１５秒後に、ＰＴＴ端末機ＨＳ１、ＨＳ２に解除メッセージを転送する。その後、ＰＴＴ端末機ＨＳ１、ＨＳ２は、基地局ＢＴＳ２から転送された解除メッセージによってデータ呼を終了（解除）した後、休止（dormancy）アイドル状態に切り替わる。
【０００８】
このように、ＳＩＤ値の変更では、全てのＰＴＴ端末機は、サーバ登録が行われたか否かに関わらず、基地局に対して、領域／パラメータ変更登録メッセージを発信してＳＩＤ領域が変更したことを通知した後、ＰＴＴサービスのためのデータ呼を発信する必要がある。
【発明の開示】
【発明が解決しようとする課題】
【０００９】
しかしながら、このような頻繁なメッセージ及び呼の発信は、システム（基地局）において、頻繁な通話チャネルの割当を行わなければならず、システムの負荷が増加し、結果として、基地局が、他の使用者に通話チャネルを割り当てることができなくなるといった問題が発生する。
【００１０】
また、ＰＴＴ端末機の使用者においては、ＳＩＤ変更を通知するための呼発信及びＰＴＴ再登録のための通話チャネル接続後に、必ず１５秒間は通話状態を維持しなければならないため、その間にかかってくる電話は受信し得ないという問題もある。
【００１１】
従って、本発明は、このような従来技術の問題点を解決するためになされたもので、互いに異なるＳＩＤを有する各基地局のカバー領域が重複する接境地域において、ＰＴＴ端末機の呼受信効率を向上させる方法を提供することを目的とする。
【課題を解決するための手段】
【００１２】
このような目的を達成するために、本発明に係るＰＴＴ端末機の呼受信効率向上方法は、ＳＩＤ値が変更されると、ＰＴＴ機能をサポートするＰＴＴ端末機が、データ呼のみを通じて基地局にＳＩＤ変更を通知する段階と、前記基地局が、ＰＴＴサーバに前記ＰＴＴ端末機が登録されているか否かをチェックする段階と、前記ＰＴＴサーバに前記ＰＴＴ端末機が登録されていると、前記基地局が、前記ＰＴＴ端末機に直ちにデータ呼解除メッセージを転送する段階と、前記ＰＴＴ端末機が、前記転送されたデータ呼解除メッセージによってデータ呼を解除した後、新しいＳＩＤ値及びＰＴＴサーバ登録状態を保存する段階と、を含むことを特徴とする。
【００１３】
この場合、前記データ呼は、前記ＰＴＴ機能がイネーブルされたＰＴＴ端末機のみから転送されるようにするとよい。
【００１４】
一方、前記ＰＴＴ機能がディスエーブルされると、前記ＰＴＴ端末機は、ＰＴＴサーバ登録のための呼を基地局に発信して、アイドル状態に切り替わるとよい。
【００１５】
前記基地局は、前記ＰＴＴ端末機が前記ＰＴＴサーバに登録されていないと、当該ＰＴＴ端末機のＰＴＴサーバ登録のために、所定時間通話状態を維持するとよい。
【００１６】
前記ＰＴＴ端末機は、保存しているＳＩＤ値と、現在のＳＩＤ値とを比較することにより、ＳＩＤ値を変更するか否かをチェックするとよい。
【００１７】
また、本発明では、ＰＴＴ機能をサポートするＰＴＴ端末機が異なるＳＩＤ地域に移動すると、前記ＰＴＴ機能が設定されたＰＴＴ端末機のみが基地局にＳＩＤ値の変更を通知し、当該端末機がＰＴＴサーバに登録されていると前記基地局から直ちに返信されてくるデータ呼解除メッセージを受信して前記通知時のデータ呼を解除することを特徴とするＰＴＴ端末機の呼受信効率向上方法をも提供する。
【００１８】
この場合、前記ＳＩＤ値の変更は、データ呼のみを通じて通知されるとよい。
【００１９】
好ましくは、前記ＰＴＴ機能が設定されていない端末機は、ＰＴＴサーバ登録のための登録呼を基地局に発信し、アイドル状態に切り替わるとよい。
【００２０】
好ましくは、前記ＰＴＴ端末機がＰＴＴサーバに登録されていないと、前記基地局が所定時間（例えば、２０秒間）通話状態を維持し、前記ＰＴＴ端末機が前記ＰＴＴサーバに登録を試みるようにするとよい。
【発明の効果】
【００２１】
本発明に係る移動通信端末機の呼受信効率を向上させる方法によれば、ＰＴＴ端末機のＰＴＴ機能設定状態及びＰＴＴサーバ登録状態によって、呼発信及び該当呼の解除時点を制御することにより、ＰＴＴ端末機による頻繁な呼発信を防止し、不要な通話状態（１５秒間）を維持することを防止することができる。
【００２２】
従って、本発明によれば、ＰＴＴ機能をサポートする端末機の使用者に対し、一般端末機の使用者とは異ならせて、ＳＩＤ変更地域における呼受信効率低下問題に対する解決策を提供することができるようになる。
【発明を実施するための最良の形態】
【００２３】
本発明は、ＣＤＭＡ網またはＧＳＭ網でＰＴＴ機能をサポートする移動通信端末機で実現されるが、これに限定されず、他の標準によって動作する無線通信システムにも適用することができる。
【００２４】
以下、本発明の好ましい実施形態を添付図面に基づいて説明する。
【００２５】
本発明は、ＰＴＴ端末機が、互いに異なるＳＩＤを有する各基地局ＢＴＳのカバー領域のうち、その重複領域（接境地域）を通過又はその接境地域に留まっている間、ＳＩＤ変更により発生する基地局の通話チャネル割当問題及びＰＴＴ端末機の呼受信効率の低下問題を改善する。
【００２６】
本発明は、ＰＴＴ端末機が、互いに異なるＳＩＤを有する各基地局ＢＴＳの重複カバー領域である接境地域を通過又はその接境地域に留まっているときに（異なるＳＩＤ地域に移動するとき）、ＰＴＴ機能設定状態及びＰＴＴサーバ登録状態によって、ＳＩＤ変更を登録するための呼発信及び該当呼の解除を制御する。従って、ＳＩＤ値の変更が生じると、図１に示すように、ＰＴＴ機能が設定されたＰＴＴ端末機ＨＳ１、ＨＳ２は、基地局ＢＴＳ２に対してＳＩＤ変更を通知するデータ呼だけを転送する（領域／パラメータ登録呼は未転送）。これに対して、基地局ＢＴＳ２は、ＰＴＴ端末機ＨＳ１、ＨＳ２がＰＴＴサーバに登録されていると、ＰＴＴ端末機ＨＳ１、ＨＳ２と現在接続中のデータ呼を解除させる。
【００２７】
図２は、本発明の実施形態に係るＰＴＴ端末機のサーバ登録状態及びＳＩＤ値の保存過程を示すフローチャートである。図示したように、使用者がＰＴＴ端末機の電源をオンにすると（Ｓ１０）、各ＰＴＴ端末機ＨＳ１、ＨＳ２は、ＰＴＴ機能がイネーブル（enable）（設定）されたか否かをチェックする（Ｓ１１）。ＰＴＴ機能がイネーブルされていると、サーバ登録のためのデータ呼を基地局に発信する（Ｓ１２）。一方、ＰＴＴ機能がディスエーブル（disable）されていると、直ちにアイドル状態に切り替わる（Ｓ１７）。
【００２８】
データ呼により、ＰＴＴ端末機と基地局との間にデータ呼が接続（確立）されると、ＰＴＴ端末機は、ＰＴＴ登録呼（メッセージ）を基地局に発信し（Ｓ１３）、これに応じて基地局から転送されてくるＰＴＴサーバ登録状態（成功（オン）、失敗（オフ））、及び、変更されたＳＩＤ値を保存する（Ｓ１４）。ＰＴＴサーバ登録状態及びＳＩＤ値の保存が完了すると、データ呼を終了して（Ｓ１５）、休止アイドル状態に切り替わる（Ｓ１６）。
【００２９】
図３は、本発明の実施形態に係るＰＴＴ端末機の呼受信効率を向上させる方法を示すフローチャートである。図示したように、ＰＴＴ端末機の使用者がＳＩＤ変更地域（ＳＩＤ地域１からＳＩＤ地域２）に移動すると、アイドル状態にあったＰＴＴ端末機は、保存しているＳＩＤ値と、ＳＩＤ地域２の基地局ＢＴＳ２から転送されてくる新しいＳＩＤ値（現在のＳＩＤ値）とを比較して、ＳＩＤ値を変更するか否かをチェックする（Ｓ２０〜Ｓ２１）。ＰＴＴ端末機が、ＳＩＤ値を変更する場合、ＰＴＴ機能がイネーブル（設定）されたか否かをチェックする（Ｓ２２）。ＰＴＴ機能がイネーブルされていると、ＳＩＤ変更を通知するデータ呼を基地局ＢＴＳ２に転送する（Ｓ２３）。一方、ＰＴＴ機能がディスエーブルされていると、ＰＴＴサーバ登録のために領域／パラメータ登録呼（ＰＴＴサーバ登録のための呼）を基地局ＢＴＳ２に発信した後（Ｓ２４）、アイドル状態に切り替わる（Ｓ２０）。
【００３０】
ＰＴＴ機能がイネーブルされたＰＴＴ端末機、例えば、ＰＴＴ端末機ＨＳ１と基地局ＢＴＳ２との間にデータ呼が接続（確立）されると、基地局ＢＴＳ２は、ＰＴＴ端末機ＨＳ１がＰＴＴサーバに登録されているか否かをチェックする（Ｓ２５）。ＰＴＴ端末機ＨＳ１がＰＴＴサーバに登録されていると（ＰＴＴオン）、直ちに、ＰＴＴ端末機ＨＳ１にデータ呼解除メッセージを転送する。一方、ＰＴＴ端末機ＨＳ１がＰＴＴサーバに登録されていないと（ＰＴＴオフ）、該ＰＴＴ端末機ＨＳ１がＰＴＴサーバに登録を試みるように２０秒間通話状態を維持した後、解除メッセージを転送する（Ｓ２６）。
【００３１】
次に、ＰＴＴサーバに登録されたＰＴＴ端末機ＨＳ１は、基地局ＢＴＳ２から転送されてくるデータ呼解除メッセージを受信して（Ｓ２７）、データ呼を解除し（Ｓ２８）、内部メモリに新しいＳＩＤ値及びＰＴＴサーバ登録状態値を保存した後（Ｓ２９）、休止アイドル状態に切り替わる（Ｓ３０）。
【００３２】
なお、基地局の動作としては、以上から導き出させるように、ＰＴＴ端末機のＳＩＤ値が変更される場合に、前記ＰＴＴ機能をサポートするＰＴＴ端末機がデータ呼のみを通じて通知したＳＩＤ変更を受信する段階と、前記ＰＴＴ端末機がＰＴＴサーバに登録されているか否かをチェックする段階と、前記ＰＴＴ端末機が前記ＰＴＴサーバに登録されていると、当該ＰＴＴ端末機に直ちにデータ呼解除メッセージを伝送する段階と、を含むように構成すればよい。
【図面の簡単な説明】
【００３３】
【図１】本発明の一実施形態に係るＰＴＴサービス網のＳＩＤ変更登録を説明する図である。
【図２】本発明の一実施形態に係るＰＴＴ端末機のサーバ登録状態及びＳＩＤ値の保存過程を示すフローチャートである。
【図３】本発明の一実施形態に係るＰＴＴ端末機の呼受信効率向上方法を示すフローチャートである。
【図４】従来技術によるＰＴＴサービス網のＳＩＤ変更登録を説明する図である。
【符合の説明】
【００３４】
ＢＴＳ１、２  基地局
ＨＳ１、２  ＰＴＴ端末機
【図１】
2006254458.tif 000003
【図２】
2006254458.tif 000004
【図３】
2006254458.tif 000005
【図４】
2006254458.tif 000006